(57)【要約】【課題】立体表示用の左右の連続したフレームのデジタル情報を連続した右フレームのデジタル情報又は連続した左フレームのデジタル情報に互換できるようにすると共に、特殊映像表示機能が付加されていない通常の映像表示装置で立体表示用の連続した右又は左のフレームのデジタル情報を再生できるようにする。【解決手段】被写体１を左右から同時に撮影して得た立体表示用の左右のフレームのデジタル情報を磁気テープ８０に記録する装置であって、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて磁気テープ８０に記録する記録手段４を備えるものである。【選択図】        図２
2004312229.tif 000002
【特許請求の範囲】
【請求項１】
被写体を左右から同時に撮影して得た立体表示用の左右のフレームのデジタル情報を情報記録媒体に記録する装置であって、
通常表示用の１フレームのデジタル情報を記録する速度のｎ倍の速度で、かつ、当該通常表示用の１フレームのデジタル情報に対応した誤り訂正構成及び情報記録形式の単位で、前記立体表示用のデジタル情報を左右のフレームに交互に並べて情報記録媒体に記録する記録手段を備えることを特徴とする情報記録装置。
【請求項２】
前記記録手段は、
前記立体表示用のデジタル情報の再生時の基準となるサーボ制御信号を変調して前記情報記録媒体に記録することを特徴とする請求項１に記載の情報記録装置。
【請求項３】
前記記録手段は、前記サーボ制御信号の波形デューティを前記立体表示用のデジタル情報の左右のフレームに応じて変調することを特徴とする請求項２に記載の情報記録装置。
【請求項４】
被写体を左右から同時に撮影して得た立体表示用の左右のフレームのデジタル情報を情報記録媒体に記録する方法であって、
通常表示用の１フレームのデジタル情報を記録する速度のｎ倍の速度で、かつ、当該通常表示用の１フレームのデジタル情報に対応した誤り訂正構成及び情報記録形式の単位で、前記立体表示用のデジタル情報を左右のフレームに交互に並べて情報記録媒体に記録することを特徴とする情報記録方法。
【請求項５】
前記立体表示用のデジタル情報の再生時の基準となるサーボ制御信号を変調して前記情報記録媒体に記録することを特徴とする請求項４に記載の情報記録方法。
【請求項６】
前記サーボ制御信号の波形デューティを前記立体表示用のデジタル情報の左右のフレームに応じて変調することを特徴とする請求項５に記載の情報記録方法。
【請求項７】
被写体を左右から同時に撮影して得た立体表示用の左右のフレームのデジタル情報を情報記録媒体から再生する装置であって、
通常表示用の１フレームのデジタル情報を再生する速度のｎ倍の速度で、かつ、当該通常表示用の１フレームのデジタル情報に対応した誤り訂正構成及び情報記録形式の単位で、前記情報記録媒体から左右のフレームを交互に読み出して立体表示用の左右のデジタル情報を再生する再生手段を備えることを特徴とする情報再生装置。
【請求項８】
前記再生手段は、
前記情報記録媒体から立体表示用のデジタル情報の再生時の基準となるサーボ制御信号を再生することを特徴とする請求項７に記載の情報再生装置。
【請求項９】
前記再生手段により再生されたサーボ制御信号の波形デューティを検出して前記デジタル情報の記録フォーマットを判別する判別手段を備えることを特徴とする請求項８に記載の情報再生装置。
【請求項１０】
前記サーボ制御信号の波形デューティを検出し、当該波形デューティに基づいて右フレームのデジタル情報又は左フレームのデジタル情報を再生するように前記再生手段を制御する制御手段を備えることを特徴とする請求項８に記載の情報再生装置。
【請求項１１】
前記制御手段は、
前記情報記録媒体で１フレーム飛ばしに前記デジタル情報を再生するように前記再生手段をダイナミックトラッキング制御することを特徴とする請求項１０に記載の情報再生装置。
【請求項１２】
被写体を左右から同時に撮影して得た立体表示用の左右のフレームのデジタル情報を情報記録媒体から再生する方法であって、
通常表示用の１フレームのデジタル情報を再生する速度のｎ倍の速度で、かつ、当該通常表示用の１フレームのデジタル情報に対応した誤り訂正構成及び情報記録形式の単位で、前記情報記録媒体から左右のフレームを交互に読み出して立体表示用の左右のデジタル情報を再生することを特徴とする情報再生方法。
【請求項１３】
前記情報記録媒体から立体表示用のデジタル情報の再生時の基準となるサーボ制御信号を再生することを特徴とする請求項１２に記載の情報再生方法。
【請求項１４】
再生された前記サーボ制御信号の波形デューティを検出して前記デジタル情報の記録フォーマットを判別することを特徴とする請求項１３に記載の情報再生方法。
【請求項１５】
前記サーボ制御信号の波形デューティを検出し、当該波形デューティに基づいて右フレームのデジタル情報又は左フレームのデジタル情報を再生することを特徴とする請求項１３に記載の情報再生方法。
【請求項１６】
前記情報記録媒体で１フレーム飛ばしに前記デジタル情報を再生するダイナミックトラッキング制御を実行することを特徴とする請求項１３に記載の情報再生方法。
【請求項１７】
被写体を左右から同時に撮影して得た立体表示用の左右のフレームのデジタル情報を記録した情報記録媒体において、
通常表示用の１フレームのデジタル情報を記録する速度のｎ倍の速度で、かつ、当該通常表示用の１フレームのデジタル情報に対応した誤り訂正構成及び情報記録形式の単位で、前記立体表示用のデジタル情報を左右のフレームに交互に並べて記録されて成ることを特徴とする情報記録媒体。
【発明の詳細な説明】
【０００１】
【発明の属する技術分野】
本発明は、テープ記録媒体からデジタル情報を再生する家庭用及び業務用のビデオ記録再生装置に適用して好適な情報記録装置、情報記録方法、情報再生装置、情報再生方法及び情報記録媒体に関する。
【０００２】
詳しくは、被写体を左右から同時に撮影して得た立体表示用の左右のフレームのデジタル情報を情報記録媒体に記録する記録手段を備え、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて情報記録媒体に記録し、立体表示用の左右の連続したフレームのデジタル情報を連続した右フレームのデジタル情報又は連続した左フレームのデジタル情報に互換できるようにすると共に、特殊映像表示機能が付加されていない通常の映像表示装置で立体表示用の連続した右又は左のフレームのデジタル情報を再生できるようにしたものである。
【０００３】
【従来の技術】
近年、家庭用及び業務用としてテープ記録媒体へビデオデータ及びオーディオデータ等のデジタル情報を記録し、このテープ記録媒体からデジタル情報を再生するビデオ記録再生装置が使用される場合が多い。この種のビデオ記録再生装置には、磁気テープを巻回したカセットが装着される。デジタル情報は例えば、８個の記録用の磁気ヘッド（以下記録ヘッドという）により磁気テープに記録される。磁気テープにはデジタル情報としてビデオデータ及びオーディオデータが記録される。この磁気テープに記録されたビデオデータ及びオーディオデータは、８個の再生用の磁気ヘッド（以下再生ヘッドという）により再生される。
【０００４】
なお、特許文献１には携帯用カメラ一体型デジタルビデオテープレコーダが開示されている。このビデオテープレコーダによれば、ビデオカメラで撮像した映像信号を帯域制限手段により帯域制限をし、その後、ビットレートリダクションエンコーダ回路により帯域圧縮処理した信号をテープ記録媒体に記録するようになされる。このように構成すると、ビデオテープレコーダの小型軽量化を図れると共に、消費電力の低減化を図ることができる。
【０００５】
【特許文献１】
特開平９−２４７７０９号公報（第２頁〜第４頁、図１）
【０００６】
【発明が解決しようとする課題】
ところで、従来方式のビデオデータＤｖ及びオーディオデータＤａのマッピング例によれば、次のような問題がある。
【０００７】
▲１▼  被写体を左右から同時に撮影して得た立体表示用の左右のフレームのデジタル情報をテープ記録媒体に記録したり、そのテープ記録媒体から立体表示用の左右のフレームのデジタル情報を再生しようとする場合に、立体表示用の左右の連続したフレームのデジタル情報を連続した右フレームのデジタル情報又は連続した左フレームのデジタル情報に互換することが困難となる。
【０００８】
▲２▼  従って、特殊映像表示機能が付加されていない通常の映像表示装置で立体表示用の連続した右又は左のフレームのデジタル情報を再生することが困難になる。
【０００９】
▲３▼  特許文献１によれば、ビデオカメラで撮像した映像信号を帯域制限した後に、ビットレートリダクションエンコーダ回路により帯域圧縮処理した信号をテープ記録媒体に記録するようになされる。しかしながら、被写体を左右から同時に撮影して得た立体表示用の左右のフレームのデジタル情報をテープ記録媒体に記録したり、そのテープ記録媒体から立体表示用の左右のフレームのデジタル情報を再生しようとする場合であって、特許文献１の携帯用カメラ一体型デジタルビデオテープレコーダの機能をそのまま適用した場合に、▲１▼の場合と同じような問題が生ずる。
【００１０】
そこで、この発明はこのような従来の課題を解決したものであって、立体表示用の左右の連続したフレームのデジタル情報を連続した右フレームのデジタル情報又は連続した左フレームのデジタル情報に互換できるようにすると共に、特殊映像表示機能が付加されていない通常の映像表示装置で立体表示用の連続した右又は左のフレームのデジタル情報を再生できるようにした情報記録装置、情報記録方法、情報再生装置、情報再生方法及び情報記録媒体を提供することを目的とする。
【００１１】
【課題を解決するための手段】
上述した課題は、被写体を左右から同時に撮影して得た立体表示用の左右のフレームのデジタル情報を情報記録媒体に記録する装置であって、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて情報記録媒体に記録する記録手段を備えることを特徴とする情報記録装置によって解決される。
【００１２】
本発明に係る情報記録装置によれば、被写体を左右から同時に撮影して得た立体表示用の左右のフレームのデジタル情報を情報記録媒体に記録する場合に、記録手段では、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて情報記録媒体に記録するようになされる。
【００１３】
このとき、記録手段では立体表示用のデジタル情報の再生時の基準となるサーボ制御信号を変調して情報記録媒体に記録したり、このサーボ制御信号の波形デューティを立体表示用のデジタル情報の左右のフレームに応じて変調するようになされる。
【００１４】
従って、情報再生時に、立体表示用の左右の連続したフレームのデジタル情報を連続した右フレームのデジタル情報又は連続した左フレームのデジタル情報に互換することができる。これにより、特殊映像表示機能が付加されていない通常の映像表示装置で立体表示用の連続した右又は左のフレームのデジタル情報を再生することができる。
【００１５】
本発明に係る情報記録方法は、被写体を左右から同時に撮影して得た立体表示用の左右のフレームのデジタル情報を情報記録媒体に記録する方法であって、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて情報記録媒体に記録することを特徴とするものである。
【００１６】
本発明に係る情報記録方法によれば、被写体を左右から同時に撮影して得た立体表示用の左右のフレームのデジタル情報を情報記録媒体から再生する場合に、立体表示用の左右の連続したフレームのデジタル情報を連続した右フレームのデジタル情報又は連続した左フレームのデジタル情報に互換することができる。従って、特殊映像表示機能が付加されていない通常の映像表示装置で立体表示用の連続した右又は左のフレームのデジタル情報を再生することができる。
【００１７】
本発明に係る情報再生装置は被写体を左右から同時に撮影して得た立体表示用の左右のフレームのデジタル情報を情報記録媒体から再生する装置であって、通常表示用の１フレームのデジタル情報を再生する速度のｎ倍の速度で、かつ、当該通常表示用の１フレームのデジタル情報に対応した誤り訂正構成及び情報記録形式の単位で、情報記録媒体から左右のフレームを交互に読み出して立体表示用の左右のデジタル情報を再生する再生手段を備えることを特徴とするものである。
【００１８】
本発明に係る情報再生装置によれば、被写体を左右から同時に撮影して得た立体表示用の左右のフレームのデジタル情報を情報記録媒体から再生する場合に、再生手段では通常表示用の１フレームのデジタル情報を再生する速度のｎ倍の速度で、かつ、当該通常表示用の１フレームのデジタル情報に対応した誤り訂正構成及び情報記録形式の単位で、情報記録媒体から左右のフレームを交互に読み出して立体表示用の左右のデジタル情報を再生するようになされる。
【００１９】
例えば、再生手段では情報記録媒体から立体表示用のデジタル情報の再生時の基準となるサーボ制御信号を再生したり、判別手段ではこのサーボ制御信号の波形デューティを検出してデジタル情報の記録フォーマットを判別するようになされる。また、制御手段では、サーボ制御信号の波形デューティを検出し、当該波形デューティに基づいて右フレームのデジタル情報又は左フレームのデジタル情報を再生するように再生手段を制御する。
【００２０】
従って、立体表示用の左右の連続したフレームのデジタル情報を連続した右フレームのデジタル情報又は連続した左フレームのデジタル情報に互換することができる。これにより、特殊映像表示機能が付加されていない通常の映像表示装置で立体表示用の連続した右又は左のフレームのデジタル情報を再生することができる。
【００２１】
本発明に係る情報再生方法は、被写体を左右から同時に撮影して得た立体表示用の左右のフレームのデジタル情報を情報記録媒体から再生する方法であって、通常表示用の１フレームのデジタル情報を再生する速度のｎ倍の速度で、かつ、当該通常表示用の１フレームのデジタル情報に対応した誤り訂正構成及び情報記録形式の単位で、情報記録媒体から左右のフレームを交互に読み出して立体表示用の左右のデジタル情報を再生することを特徴とするものである。
【００２２】
本発明に係る情報再生方法によれば、被写体を左右から同時に撮影して得た立体表示用の左右のフレームのデジタル情報を情報記録媒体から再生する場合に、立体表示用の左右の連続したフレームのデジタル情報を連続した右フレームのデジタル情報又は連続した左フレームのデジタル情報に互換することができる。従って、特殊映像表示機能が付加されていない通常の映像表示装置で立体表示用の連続した右又は左のフレームのデジタル情報を再生することができる。
【００２３】
本発明に係る情報記録媒体は、被写体を左右から同時に撮影して得た立体表示用の左右のフレームのデジタル情報を記録した情報記録媒体において、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて記録されて成ることを特徴とするものである。
【００２４】
本発明に係る情報記録媒体によれば、立体表示用の左右の連続したフレームのデジタル情報から、連続した右フレームのデジタル情報又は連続した左フレームのデジタル情報を読み出すことができる。従って、特殊映像表示機能が付加されていない通常の映像表示装置で立体表示用の連続した右又は左のフレームのデジタル情報を再生可能な互換ソフトウエアを提供することができる。
【００２５】
【発明の実施の形態】
続いて、この発明に係る情報記録装置、情報記録方法、情報再生装置、情報再生方法及び情報記録媒体の一実施の形態について、図面を参照しながら説明をする。
【００２６】
図１は、本発明に係る実施形態としての情報記録装置及び情報再生装置を応用した映像音声記録再生システム１０の構成例を示す概念図である。
【００２７】
この実施形態では、被写体を左右から同時に撮影して得た立体表示用の左右のフレームのデジタル情報を情報記録媒体に記録する記録手段を備え、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて情報記録媒体に記録し、立体表示用の左右の連続したフレームのデジタル情報を連続した右フレームのデジタル情報又は連続した左フレームのデジタル情報に互換できるようにすると共に、特殊映像表示機能が付加されていない通常の映像表示装置で立体表示用の連続した右又は左のフレームのデジタル情報を再生できるようにしたものである。
【００２８】
図１に示す３Ｄ映像音声記録再生システム１０には、情報記録装置及び情報再生装置の一例となるＶＴＲ（Ｖｉｄｅｏ  Ｔａｐｅ  Ｒｅｃｏｒｄｅｒ）１００が備えられ、被写体１を左右から同時に撮影して得た立体表示用の左右のフレームのデジタル情報を情報記録媒体に記録し再生する装置である。このＶＴＲ１００は情報記録媒体の一例となる磁気テープ（テープ記録媒体）からデジタル情報を再生する家庭用及び業務用のビデオ記録再生装置に適用して好適である。
【００２９】
例えば、被写体１の右側にはビデオカメラ＃１が配置され、被写体１の右側から撮影したデジタル情報の一例となる静止映像や動画映像情報が取得され、右チャンネル（以下Ｒｃｈという）の記録ビデオ（Ｖｉｄｅｏ）信号としてＶＴＲ１００に出力される。この例では右側に位置するビデオカメラ＃１によって被写体１の一例となるローマ字の「Ａ」を撮影している。
【００３０】
また、被写体１の左側にはビデオカメラ＃２が配置され、被写体１の左側から撮影した静止映像や動画映像情報が取得され、左チャンネル（以下Ｌｃｈという）のビデオ信号としてＶＴＲ１００に出力される。この例では左側に位置するビデオカメラ＃２によってローマ字の「Ａ」を撮影している。
【００３１】
この２台のカメラ＃１及び＃２の間には、モノラルのマイクロフォン２が配置され、被写体１の中央から収音した音声や音楽情報が取得され、オーディオ（Ａｕｄｉｏ）信号がＶＴＲ１００に出力される。もちろん、マイクロフォン２はモノラル方式に限られることはなく、カメラ＃１及び＃２にマイクロフォンを配置して被写体１の左右から音声や音楽情報を収音するステレオ方式としてもよい。この実施形態ではモノラル方式の記録オーディオ信号を取り扱う場合について説明をする。つまり、ＶＴＲ１００ではマイクロフォン２から出力される記録オーディオ信号が磁気テープに記録される。
【００３２】
このＶＴＲ１００には、例えば、１台のモニタ１０１が接続される。モニタ１０１にはスピーカ３が内蔵又は外付けして使用される。モニタ１０１ではＲｃｈ及びＬｃｈ記録ビデオ信号に基づく、位相が異なった二重の静止映像や動画映像情報が表示されると共に、マイクロフォン２で取得した記録オーディオ信号に基づく音声や音楽情報がスピーカ３から出力される。
【００３３】
この二重の静止映像や動画映像情報は、立体視可能な特殊メガネ１０２を装着して見るようになされる。ビデオカメラ＃１によって撮影されたローマ字の「Ａ」と、ビデオカメラ＃２によって撮影されたローマ字の「Ａ」は、特殊メガネ１０２を装着して見ると立体的に見えるようになる。特殊メガネ１０２を装着していない場合は、ローマ字の「Ａ」が二重の静止映像として見える。以下、ＶＴＲ１００に関して情報記録系及び情報再生系に分けて説明をする。
【００３４】
［情報記録装置］
図２は本発明に係る第１の実施例としてのＶＴＲ１００の記録系の構成例を示すブロック図である。図２に示すＶＴＲ１００の記録系は記録手段４、ビデオ圧縮回路１１、１２及びマルチプレックス回路２０を有している。この例では記録ビデオ信号を圧縮した後に、ビデオデータとオーディオデータとを多重（マルチプレックス）する場合を例に挙げる。
【００３５】
図２に示すＶＴＲ１００はビデオＲ入力端子１１０、ビデオＬ入力端子１２０及びオーディオ入力端子１３０を有している。ビデオＲ入力端子１１０にはビデオ圧縮回路１１が接続され、ビデオカメラ＃１からのＲｃｈ記録ビデオ信号ＲＳｉｎを入力して圧縮するようになされる。例えば、ビデオ圧縮回路１１ではＲｃｈ記録ビデオ信号ＲＳｉｎが８×８画素の二次元ブロックに分割され、ＤＣＴ等のブロック符号化を用いたデータ圧縮処理が行われる。
【００３６】
また、ビデオＬ入力端子１２０にはビデオ圧縮回路１２が接続され、ビデオカメラ＃２からのＬｃｈ記録ビデオ信号ＬＳｉｎを入力して圧縮するようになされる。ビデオ圧縮回路１２では同様にして、Ｌｃｈ記録ビデオ信号ＬＳｉｎが８×８画素の二次元ブロックに分割され、ＤＣＴ等のブロック符号化を用いたデータ圧縮処理が行われる。
【００３７】
ビデオ圧縮回路１１及び１２にはマルチプレックス回路２０が接続され、圧縮後のＲｃｈビデオデータＤＲと圧縮後のＬｃｈビデオデータＤＬとを多重化処理するようになされる。多重化処理後のＲｃｈ及びＬｃｈビデオデータＤＲ＋ＤＬは記録手段４へ出力される。
【００３８】
記録手段４は、通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて磁気テープ８０に記録するものである。この例ではｎ＝２の場合について説明をする。
【００３９】
例えば、記録手段４はパリティ付加回路３０、記録回路４０、ヘリカル記録ヘッド５０、ＣＬＴ発生器６０及びＣＴＬ記録ヘッド７０を有している。上述のマルチプレックス回路２０及びオーディオ入力端子１３０には、パリティ付加回路３０が接続され、マルチプレックス回路２０から多重化処理後のＲｃｈ、Ｌｃｈビデオデータ（圧縮符号化多重データ）ＤＲ＋ＤＬ及び、記録オーディオ信号ＡＳｉｎを入力し、この圧縮符号化多重データＤＲ＋ＤＬに対して、符号化単位毎に積符号を用いたエラー訂正符号化処理が行われると共に、記録オーディオ信号ＡＳｉｎに積符号を用いたエラー訂正符号化処理が行われる。
【００４０】
記録回路４０ではパリティ付加回路３０から出力されるビデオデータ（エラー訂正符号化データ）ＶＤｂを増幅し、増幅後のエラー訂正符号化データＶＤｂがヘリカル記録ヘッド５０に出力される。ヘリカル記録ヘッド５０はエラー訂正符号化データＶＤｂを磁気テープ８０の記録トラックに順次記録するようになされる。
【００４１】
ＣＴＬ発生器６０では、立体表示用のエラー訂正符号化データ（デジタル情報）ＶＤｂの再生時の基準となるサーボ制御信号（以下ＣＴＬ信号という）を発生し、このＣＴＬ信号を変調してＣＴＬ記録ヘッド７０に出力する。例えば、ＣＴＬ発生器６０では、ＣＴＬ信号の波形デューティを立体表示用のエラー訂正符号化データＶＤｂの左右のフレームに応じて変調する。ＣＴＬ記録ヘッド７０はＣＴＬ発生器６０から出力される変調後のＣＴＬ信号を磁気テープ８０に記録するようになされる。このようにすると、立体表示用の左右の連続したフレームのデジタル情報を連続した右フレームのデジタル情報又は連続した左フレームのデジタル情報に区分することができる。
【００４２】
図３はパリティ付加回路３０の内部構成例を示すブロック図である。図３に示すパリティ付加回路３０は、ＳＤＲＡＭ（Ｓｙｎｃｈｒｏｎｏｕｓ  Ｄｙｎａｍｉｃ  ＲＡＭ）３１と、このＳＤＲＡＭ３１に対する書き込みおよび読み出しを行うためのインタフェースであるＳＤＲＡＭインタフェース３２とを有している。ＳＤＲＡＭ３１は、複数フィールドのビデオデータＤｖを記憶し得る容量を持っている。この場合、ＳＤＲＡＭ３１には、Ｒｃｈ及びＬｃｈの各フィールドについて、３６個のＥＣＣブロックに対応したメモリ空間が用意されている。
【００４３】
このＳＤＲＡＭインタフェース３２には、入力書き込みバッファ３３が接続され、上述のビデオ圧縮回路１１から供給されるビデオデータ（圧縮符号化データ）ＤｖをＳＤＲＡＭ３１に書き込むためのバッファとなされる。ＳＤＲＡＭインタフェース３２には、ビデオ用のＣ２読み出しバッファ３４が接続され、ＳＤＲＡＭ３１から読み出される３６個のＥＣＣブロックに対応したビデオデータＤｖを後述するビデオ用のＣ２エンコーダ３５に供給するためのバッファとなされる。
【００４４】
このＣ２読み出しバッファ３４には、Ｃ２エンコーダ３５が接続され、各フィールドについて、３６個のＥＣＣブロックにおけるＣ２パリティ（外符号パリティ）を演算するようになされる。Ｃ２エンコーダ３５は、Ｃ２パリティを演算する演算器を３６個有しており、上述した３６個のＥＣＣブロックにおけるＣ２パリティを並行して演算できるようになされる。そのため、Ｃ２読み出しバッファ３４からＣ２エンコーダ３５には、３６個のＥＣＣブロックに対応したビデオデータが並行して供給される。またその場合、各ＥＣＣブロックのビデオデータは、「０〜１１３」のシンクブロックのデータの順に供給される。
【００４５】
また、Ｃ２エンコーダ３５にはＣ２書き込みバッファ３６が接続され、各フィールドについて、Ｃ２エンコーダ３５で演算された３６個のＥＣＣブロックにおけるＣ２パリティをＳＤＲＡＭ３１に書き込むためのバッファとなされる。さらに、ＳＤＲＡＭインタフェース３２には出力読み出しバッファ３７が接続され、各フィールドについて、ＳＤＲＡＭ３１から読み出される、３６個のＥＣＣブロックに対応したビデオデータおよびＣ２パリティを出力するためのバッファとなされる。
【００４６】
ビデオデータＤｖはＣ１＝シンク順に入力される。これは、圧縮マクロブロックがシンク単位に詰め込まれているためである。このようにすると、シャトル再生時に１シンクヒットした場合に、対応するマクロブロックを更新することができる。従って、ビデオデータＤｖはＣ１方向で書き込み、その後、Ｃ２方向で読み出してＣ２訂正処理をするようになされる。これに対して、オーディオデータＤａはビデオデータＤｖと同じ処理を必要とせず、Ｃ２符号を積算してからＳＤＲＡＭ３１に書き込むようになされる。
【００４７】
例えば、ＳＤＲＡＭインタフェース３２には、オーディオ用の入力バッファ３１０が接続され、オーディオ入力端子１３０から供給される記録オーディオ信号ＡＳｉｎを入力するためのバッファとなされる。入力バッファ３１０にはオーディオ用のＣ２エンコーダ３１１が接続され、各フィールドについて、２４個のＥＣＣブロックにおけるＣ２パリティ（外符号パリティ）を演算するようになされる。このＣ２訂正処理では、記録オーディオ信号ＡＳｉｎをＣ２列順に入力する。Ｃ２エンコーダ３１１にはオーディオ用のＣ２書込みバッファ３１２が接続され、各フィールドについて、２４個のＥＣＣブロックに対応したオーディオデータＤａおよびＣ２パリティをＳＤＲＡＭインタフェース３２を介してＳＲＡＭ３１へ書き込むためのバッファとなされる。
【００４８】
更にまた、出力読み出しバッファ３７にはＳＹＮＣ／ＩＤ付加回路３８が接続され、出力読み出しバッファ３７から記録順に出力される各シンクブロックのビデオデータ（またはＣ２パリティ）のデータ列に、シンクデータおよびＩＤを付加するようになされる。このＳＹＮＣ／ＩＤ付加回路３８には、Ｃ１エンコーダ３９が接続され、シンクデータおよびＩＤが付加された各シンクブロックのビデオデータ及びオーディオデータＤａに対してＣ１パリティを演算して付加し、ビデオデータＤｖ＋オーディオデータＤａ＝記録データＶＤｂとして出力するようになされる。
【００４９】
図４は、図２に示したＶＴＲ１００に係る回転ドラム１４０の構成例を示す概念図である。図４に示す回転ドラム１４０には、ヘリカル記録ヘッド（磁気ヘッド）５０及び後述するヘリカル再生ヘッド５５が装備される。例えば、回転ドラム１４０には、１８０度の巻き付け角度をもって、磁気テープ８０が斜めに巻き付けられる。磁気テープ８０は、回転ドラム１４０にこのように巻き付けられた状態で、所定速度で走行するようにされる。
【００５０】
また、回転ドラム１４０には、４個の記録ヘッドＲＥＣＡ〜ＲＥＣＤが配置されていると共に、これら４個の記録ヘッドＲＥＣＡ〜ＲＥＣＤに対して１８０度の角間隔をもって４個の記録ヘッドＲＥＣＥ〜ＲＥＣＨが配置されている。さらに、回転ドラム１４０には、記録ヘッドＲＥＣＡ〜ＲＥＣＨに対応する８個の再生ヘッドＰＢＡ〜ＰＢＨが、記録ヘッドＲＥＣＡ〜ＲＥＣＨに対してそれぞれ９０度の角間隔をもって配置されている。つまり、ヘリカル記録ヘッド５０は８個の記録ヘッドＲＥＣＡ〜ＲＥＣＨから構成され、ヘリカル再生ヘッド５５は８個の再生ヘッドＰＢＡ〜ＰＢＨから構成される。
【００５１】
［情報記憶媒体］
図５は、磁気テープ８０における記録フォーマット例を示している。図５に示す磁気テープ８０は、図１に示した被写体１を左右から同時に撮影して得た立体表示用の左右のフレームのデジタル情報を記録した媒体である。この磁気テープ８０において、通常表示用の１フレームのデジタル情報を記録する速度の２倍の速度で、かつ、当該通常表示用の１フレームのデジタル情報に対応した誤り訂正構成及び情報記録形式の単位で、立体表示用のデジタル情報を左右のフレームに交互に並べて記録されて成るものである。
【００５２】
この磁気テープ８０には、その長手方向に対して傾斜したトラックＴが順次形成される。この場合、互いに隣接する２本のトラックＴにおける記録アジマスは異なるようにされる。トラックＴの走査開始端側および走査終了端側の領域は、それぞれビデオデータ領域ＡＲＶＬ，ＡＲＶＵに割り当てられている。このビデオデータ領域ＡＲＶＬ，ＡＲＶＵには、上述したパリティ付加回路３０より出力されるビデオデータＤＲ＋ＤＬが記録される。また、トラックＴのビデオ領域ＡＲＶＬ，ＡＲＶＵに挟まれた領域は、オーディオデータ領域ＡＲＡに割り当てられている。この領域ＡＲＡにはオーディオデータＤａが記録される。
【００５３】
図６はＶＴＲ１００におけるフットプリントの例を示す図である。図７ＡはビデオデータＤＲ＋ＤＬの積符号の構成例を示す図である。この例では、Ｒｃｈの１フィールドのビデオデータＤＲ及びＬｃｈの１フィールドのビデオデータＤＬは、各々の１２トラックに記録される。記録時および再生時には、１回のスキャンでは４個のヘッドによって４トラックが同時に走査され、従って、１２トラックは３回のスキャンで走査される。
【００５４】
図６に示すフットプリント（ＥＣＣ構成およびデータ記録形式）は、図２に示したヘリカル記録ヘッド５０によって記録されるフォーマットである。ヘリカル記録ヘッド５０は実際には、図４に示したように８個の記録ヘッドＲＥＣＡ〜ＲＥＣＨから構成されることは前述した通りである。図５に示したビデオデータ領域ＡＲＶＵは、図６に示すフットプリントの１２トラックにおいて上方のビデオシンク（ｓｙｎｃ：（Ｍ））に配置され、このビデオｓｙｎｃ（Ｍ）には、図７Ａに示すようなテーブル０〜テーブル３５までの、３６個のＥＣＣブロック（符号化単位のデータ）が記録される。
【００５５】
同様にして、図５に示したビデオデータ領域ＡＲＶＬは、図６に示す下方のビデオｓｙｎｃ（Ｍ）に配置され、このビデオｓｙｎｃ（Ｍ）には、図７Ａに示すようなテーブル０〜テーブル３５までの、３６個のＥＣＣブロック（符号化単位のデータ）が記録される。上下の各々のビデオｓｙｎｃ（Ｍ）の大きさは１２トラック×１８９バイトである。この上下のビデオｓｙｎｃ（Ｍ）の間にはオーディオＳｙｎｃ（Ｎ）が配置され、オーディオデータＤａが記録される。オーディオＳｙｎｃ（Ｎ）は、８つに区分され、１区分の大きさは４バイト×１２トラックである。
【００５６】
ここで下方のビデオｓｙｎｃ（Ｍ）側から、上方のビデオｓｙｎｃ（Ｍ）側へ記録ヘッド５０を走査するものとすると、第１区分にはオーディオデータＡ１，Ａ９，Ａ５が配置され、第２区分にはオーディオデータＡ２，Ａ１０，Ａ６が配置され、第３区分にはオーディオデータＡ３，Ａ１１，Ａ７が配置され、第４区分にはオーディオデータＡ４，Ａ１２，Ａ８が配置され、第５区分にはオーディオデータＡ５，Ａ１，Ａ９が配置され、第６区分にはオーディオデータＡ６，Ａ２，Ａ１０が配置され、第７区分にはオーディオデータＡ７，Ａ３，Ａ１１が配置され、第８区分にはオーディオデータＡ８，Ａ４，Ａ１２が各々配置される。
【００５７】
また、上方のビデオｓｙｎｃ（Ｍ）と第８区分目のオーディオｓｙｎｃ（Ｎ）との間にはギャップＧａｖが配置される。各区分のオーディオｓｙｎｃ間にはギャップＧａａが配置される。第１区分目のオーディオｓｙｎｃ（Ｎ）と下方のビデオｓｙｎｃ（Ｍ）との間にはサーボパイロット（サーボ制御信号：ＣＴＬ信号）が配置されている。下方のビデオｓｙｎｃ（Ｍ）とサーボパイロットと間にはギャップＧｓａが配置され、このサーボパイロットと下方のビデオｓｙｎｃ（Ｍ）との間にはギャップＧｖｓが配置される。再生時に信号処理スペースを採るためである。
【００５８】
１個のＥＣＣブロックは、以下のように構成されている。すなわち、図７Ａに示す２２６バイト×１１４バイトのデータ配列からなるビデオデータに対して、矢印ｂで示す外符号演算データ系列につき、各列のデータ（データ列）が例えば（１２６，１１４）リードソロモン符号によって符号化され、１２バイトのＣ２パリティ（外符号パリティ：ＯＵＴＥＲ）が生成される。さらに、これらビデオデータおよびＣ２パリティに対して、図７Ａに示す矢印ａで示す内符号演算データ系列につき、各行のデータ（データ列）が例えば（２４２，２２６）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００５９】
図７ＢはＥＣＣブロックにおける１シンクブロックの構成例を示す図である。図７Ｂに示す先頭の２バイトはシンクデータである。続く、２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。また、１２トラック毎に１セグメントが構成され、０〜３のセグメント番号が順次繰り返し付与されるが、上述の２バイトのＩＤには、当該１シンクブロックが記録されるセグメントのセグメント番号を示すセグメントＩＤも含まれる。また、このＩＤに、２２６バイトのビデオデータ（またはＣ２パリティ）および１６バイトのＣ１パリティが続く。
【００６０】
図７ＣはオーディオデータＤａの積符号の構成例を示す図である。図６に示したフットプリントのオーディオＳｙｎｃ（Ｎ）には、図７Ｃに示すようなテーブル０〜テーブル２３までの、２４個のＥＣＣブロック（符号化単位のデータ）が記録される。１個のＥＣＣブロックは、以下のように構成されている。
【００６１】
すなわち、１８９バイト×８バイトのデータ配列からなるオーディオデータに対して、矢印ｂで示す外符号演算データ系列につき、各列のデータ（データ列）が例えば（１６，８）リードソロモン符号によって符号化され、８バイトのＣ２パリティ（外符号パリティ：ＯＵＴＥＲ）が生成される。さらに、これらオーディオデータおよびＣ２パリティに対して、図７Ｃに示す矢印ａで示す内符号演算データ系列につき、各行のデータ（データ列）が例えば（２０５，１８９）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００６２】
図８は、１セグメントを構成する１２トラック内のビデオデータ領域ＡＲＶＬ，ＡＲＶＵにおける各ＥＣＣブロックの１シンクブロックの配置例（その１）を示す図である。図８Ａに示すように、１回目にスキャンされる「０〜３」の４トラックに関しては、ビデオデータ領域ＡＲＶＬには「０〜３５」のＥＣＣブロックにおける０Ｒｏｗ〜２０Ｒｏｗまでの２１Ｒｏｗのシンクブロックが記録され、ビデオデータ領域ＡＲＶＵには「０〜３５」のＥＣＣブロックにおける２１Ｒｏｗ〜４１Ｒｏｗまでの２１Ｒｏｗのシンクブロックが記録される。
【００６３】
また、２回目にスキャンされる「４〜７」の４トラックに関しては、ビデオデータ領域ＡＲＶＬには「０〜３５」のＥＣＣブロックにおける４２Ｒｏｗ〜６２Ｒｏｗまでの２１Ｒｏｗのシンクブロックが記録され、ビデオデータ領域ＡＲＶＵには０〜３５のＥＣＣブロックにおける６３Ｒｏｗ〜８３Ｒｏｗまでの２１Ｒｏｗのシンクブロックが記録される。
【００６４】
さらに、３回目にスキャンされる「８〜１１」の４トラックに関しては、ビデオデータ領域ＡＲＶＬには「０〜３５」のＥＣＣブロックにおける８４Ｒｏｗ〜１０４Ｒｏｗまでの２１Ｒｏｗのシンクブロックが記録され、ビデオデータ領域ＡＲＶＵには「０〜３５」のＥＣＣブロックにおける１０５Ｒｏｗ〜１２５Ｒｏｗまでの２１Ｒｏｗのシンクブロックが記録される。
【００６５】
ここで、０Ｒｏｗのシンクブロックは、「０〜３５」のＥＣＣブロックのそれぞれにおける０番目のシンクブロックから構成されており、これら３６個のシンクブロックは、図８Ｂに示すように、「０〜４」のトラックに、９シンクブロックずつ振り分けられて記録される。つまり、「０」のトラックには「０，１８，１，１９，２，２０，３，２１，４」のＥＣＣブロックにおける０番目のシンクブロックが記録され、「１」のトラックには「２２，５，２３，６，２４，７，２５，８，２６」のＥＣＣブロックにおける０番目のシンクブロックが記録され、「２」のトラックには「９，２７，１０，２８，１１，２９，１２，３０，１３」のＥＣＣブロックにおける０番目のシンクブロックが記録され、さらに「３」のトラックには「３１，１４，３２，１５，３３，１６，３４，１７，３５」のＥＣＣブロックにおける０番目のシンクブロックが記録される。
【００６６】
以下、同様に、１〜１２５Ｒｏｗのシンクブロックは、それぞれ「０〜３５」のＥＣＣブロックにおける１番目〜１２５番目のシンクブロックから構成されており、各３６個のシンクブロックは対応する４トラックに９シンクブロックずつ振り分けられて記録される。この場合、Ｒｏｗ毎に、４トラックのそれぞれに記録される９シンクブロックが取り出されるＥＣＣブロックがローテーションされる。なお、１シンクブロックは、図８Ｃに示すように、２バイトのシンクデータ、２バイトのＩＤ、２２６バイトのビデオデータ（またはＣ２パリティ）および１６バイトのＣ１パリティから構成されている。
【００６７】
ここで、「０〜１１」の１２トラックには、０Ｒｏｗ〜１２５Ｒｏｗのシンクブロックが順次記録される。この場合、０Ｒｏｗ〜１１３Ｒｏｗのシンクブロックは、内符号演算データ系列を構成するビデオデータのデータ列にＣ１パリティが付加されてなるものであるが、１１４Ｒｏｗ〜１２５Ｒｏｗのシンクブロックは、内符号演算データ系列を構成するＣ２パリティのデータ列にＣ１パリティが付加されてなるものである。
【００６８】
図９は、１セグメントを構成する１２トラックのビデオデータ領域ＡＲＶＬ，ＡＲＶＵにおける各ＥＣＣブロックの１シンクブロックの配置例（その２）を示す図である。
【００６９】
この実施形態においては、１２トラックに「０〜３５」の３６個のＥＣＣブロックを記録する際に、図９に示すように、最初は内符号演算データ系列を構成するビデオデータのデータ列にＣ１パリティが付加されてなる第１のシンクブロックが順次記録され、この第１のシンクブロックの記録が終了した後に、内符号演算データ系列を構成するＣ２パリティのデータ列にＣ１パリティが付加されてなる第２のシンクブロックが順次記録される。
【００７０】
続いて、ＶＴＲ１００の記録系における動作例について説明をする。図１０は、３Ｄ映像音声記録再生システム１０におけるビデオデータＤＲ、ＤＬ及びオーディオデータＤａのマッピング例を示す図である。図１１Ａ及びＢは、比較例としてのビデオデータＤｖ及びオーディオデータＤａのマッピング例を示す図である。
【００７１】
この実施形態では、被写体１を左右から同時に撮影して得た立体表示用の左右のフレームのデジタル情報を磁気テープ８０に記録する場合を前提とする。図１０に示すビデオデータＤＲ＋ＤＬ及びオーディオデータＤａのマッピング例（３Ｄ，３Ｐ）によれば、通常表示用の１フレームのデジタル情報に対応した誤り訂正構成及び情報記録形式の単位で、立体表示用のビデオデータＤＲ＋ＤＬを左右のフレームに交互に並べて記録されて成るものである。
【００７２】
例えば、図１に示した左右２台のビデオカメラ＃１、＃２からの記録ビデオ信号ＲＳｉｎ、ＬＳｉｎ及び記録オーディオ信号ＡＳｉｎに対して、通常の１フレームに対するフットプリント（ＥＣＣ構成およびデータ記録形式）単位で左右交互に並べて配置するようになされる。被写体１を左右から同時に撮影して得た立体表示用の左右のフレームのビデオデータＤＲ及びＤＬを磁気テープ８０に記録するためである。この記録においては、通常表示用の１フレームのデジタル情報を記録する速度の２倍の速度で磁気テープ８０に記録される。フレーム周波数が等しい場合、フットプリントとしては倍の速度で記録されることによる。
【００７３】
図１０において、Ｌｃｈの１フレームのデジタル情報は、Ｌｃｈの１フレームのビデオデータ及びオーディオデータから構成される。同様に、Ｒｃｈの１フレームのデジタル情報は、Ｒｃｈの１フレームのビデオデータ及び、オーディオデータから構成される。Ｌｃｈの１フレームのビデオデータＤＬは、１フィールドのビデオデータＬ−Ｖ０及びＬ−Ｖ１から構成される。そのオーディオデータＤａは１フィールドのオーディオデータＡ０及びＡ１から構成される。このＬｃｈの１フレームのデジタル情報の隣りには、Ｒｃｈの１フレームのデジタル情報がマッピング（配置）される。Ｒｃｈの１フレームのビデオデータＤＲは、１フィールドのビデオデータＲ−Ｖ０及びＲ−Ｖ１から構成される。そのオーディオデータＤａは１フィールドのオーディオデータＡ０及びＡ１から構成される。いずれのフィールドも周期は、１／６０ｓｅｃである。
【００７４】
この例で、ＣＴＬ信号のアップエッジは、毎フィールド毎に立ち上がるが、デューティは左右のフレームで異なり、６５％，５０％，３５％，５０％となっている。これは、１例であり、他の組み合わせでもかまわない。要するに、デューティで左右のフレームを区別できればよい。例えば、Ｌｃｈの１フレームの第１フィールドのビデオデータＤＬ及び、オーディオデータＤａを規定するＣＴＬ信号のディーティは６５％である。その第２フィールドのビデオデータＤＬ及びオーディオデータＤａを規定するＣＴＬ信号のディーティは５０％である。また、Ｒｃｈの１フレームの第１フィールドのビデオデータＤＲ及びオーディオデータＤａを規定するＣＴＬ信号のディーティは３５％である。その第２フィールドのビデオデータＤＲ及びオーディオデータＤａを規定するＣＴＬ信号のディーティは５０％である。
【００７５】
更に、続けて、このＲｃｈの１フレームのデジタル情報の隣りには、Ｌｃｈの１フレームのビデオデータＤＬとして、１フィールドのビデオデータＬ−Ｖ２及びＬ−Ｖ３から構成される。そのオーディオデータＤａは１フィールドのオーディオデータＡ２及びＡ３から構成される。このＬｃｈの１フレームのデジタル情報の隣りには、Ｒｃｈの１フレームのデジタル情報がマッピング（配置）される。
【００７６】
Ｒｃｈの１フレームのビデオデータＤＲは、１フィールドのビデオデータＲ−Ｖ２及びＲ−Ｖ３から構成される。そのオーディオデータＤａは１フィールドのオーディオデータＡ２及びＡ３から構成される。いずれのフィールドも周期は、１／６０ｓｅｃである。
【００７７】
なお、図１１Ａには比較例としてのマッピング例（３０Ｐ）を示している。このマッピング例によれば、１フレームのデジタル情報は、１フィールドのビデオデータＶ０、１フィールドのＶ１及びオーディオデータＡ０、Ａ１から構成される。この１フレームのデジタル情報の隣りには、次の１フレームのデジタル情報がマッピング（配置）される。その１フレームのビデオデータＤｖは、１フィールドのビデオデータＶ２及びＶ３から構成される。そのオーディオデータＤａは１フィールドのオーディオデータＡ２及びＡ３から構成される。
【００７８】
この１フレームのデジタル情報の隣りには、更に次の１フレームのデジタル情報がマッピング（配置）される。その１フレームのビデオデータＤｖは、１フィールドのビデオデータＶ４及びＶ５から構成される。そのオーディオデータＤａは１フィールドのオーディオデータＡ４及びＡ５から構成される。以下、同様にして構成される。いずれのフィールドも周期は、１／６０ｓｅｃである。
【００７９】
また、図１１Ｂに示すサーボ制御信号（以下ＣＴＬ信号という）のアップエッジは、毎フィールド毎に立ち上がるが、デューティは１フレーム毎に異なり、６５％，５０％，３５％，５０％となっている。第１フレームの第１フィールドのビデオデータＤｖ及び、オーディオデータＤａを規定するＣＴＬ信号のディーティは６５％である。その第２フィールドのビデオデータＤｖ及びオーディオデータＤａを規定するＣＴＬ信号のディーティは５０％である。第２フレームの第１フィールドのビデオデータＤｖ及び、オーディオデータＤａを規定するＣＴＬ信号のディーティは３５％である。その第２フィールドのビデオデータＤｖ及びオーディオデータＤａを規定するＣＴＬ信号のディーティは５０％である。
【００８０】
これらを前提にして、図１に示したビデオカメラ＃１から図２のビデオＲ入力端子１１０を経由して入力したＲｃｈ記録ビデオ信号ＲＳｉｎは、ビデオ圧縮回路１１によって圧縮される。例えば、ビデオ圧縮回路１１ではＲｃｈ記録ビデオ信号ＲＳｉｎが８×８画素の二次元ブロックに分割され、ＤＣＴ等のブロック符号化を用いたデータ圧縮処理が行われる。
【００８１】
また、ビデオカメラ＃２から図２のビデオＬ入力端子１２０を経由して入力したＬｃｈ記録ビデオ信号ＬＳｉｎはビデオ圧縮回路１２によって圧縮される。例えば、ビデオ圧縮回路１２ではＬｃｈ記録ビデオ信号ＬＳｉｎが８×８画素の二次元ブロックに分割され、ＤＣＴ等のブロック符号化を用いたデータ圧縮処理が行われる。
【００８２】
ビデオ圧縮回路１１で圧縮された後のＲｃｈビデオデータＤＲとビデオ圧縮回路１２で圧縮された後のＬｃｈビデオデータＤＬは、マルチプレックス回路２０によって多重化処理するようになされる。多重化処理された後のＲｃｈ及びＬｃｈビデオデータＤＲ＋ＤＬは記録手段４へ出力される。
【００８３】
記録手段４では、通常表示用の１フレームのデジタル情報を記録する速度の２倍の速度で、かつ、当該通常表示用の１フレームのデジタル情報に対応した誤り訂正構成及び情報記録形式の単位で、立体表示用のデジタル情報を左右のフレームに交互に並べて磁気テープ８０に記録するようになされる。
【００８４】
例えば、パリティ付加回路３０では、マルチプレックス回路２０から多重化処理後のＲｃｈ、Ｌｃｈビデオデータ（圧縮符号化多重データ）ＤＲ＋ＤＬ及び、記録オーディオ信号ＡＳｉｎが入力され、この圧縮符号化多重データＤＲ＋ＤＬに対して、符号化単位毎に積符号を用いたエラー訂正符号化処理が行われると共に、記録オーディオ信号ＡＳｉｎに積符号を用いたエラー訂正符号化処理が行われる。
【００８５】
このパリティ付加回路３０から出力されるビデオデータ（エラー訂正符号化データ）ＶＤｂは、記録回路４０によって増幅され、この増幅後のエラー訂正符号化データＶＤｂがヘリカル記録ヘッド５０に出力される。ヘリカル記録ヘッド５０はエラー訂正符号化データＶＤｂを磁気テープ８０の記録トラックに順次記録するようになされる。
【００８６】
このとき、図３に示したパリティ付加回路３０の入力書き込みバッファ３３では、上述のマルチプレックス回路２０から供給されるビデオデータ（圧縮符号化データ）ＤＲ＋ＤＬ及び、記録オーディオ信号ＡＳｉｎがＳＤＲＡＭ３１に書き込まれる。
【００８７】
そして、ＳＤＲＡＭインタフェース３２に接続されたビデオ用のＣ２読み出しバッファ３４では、ＳＤＲＡＭ３１から読み出された、３６個のＥＣＣブロックに対応したビデオデータＤＲ＋ＤＬがＣ２エンコーダ３５に供給される。このとき、Ｃ２読み出しバッファ３４からＣ２エンコーダ３５には、３６個のＥＣＣブロックに対応したビデオデータが並行して供給される。また、この場合、各ＥＣＣブロックのビデオデータは、「０〜１１３」のシンクブロックのデータの順に供給される。
【００８８】
このＣ２エンコーダ３５では各フィールドについて、３６個のＥＣＣブロックにおけるＣ２パリティ（外符号パリティ）が演算される。このＣ２エンコーダ３５で各フィード毎に演算された３６個のＥＣＣブロックにおけるＣ２パリティはＣ２書き込みバッファ３６によってＳＤＲＡＭ３１に書き込まれる。
【００８９】
さらに、ＳＤＲＡＭ３１に書き込まれた３６個のＥＣＣブロックに対応したビデオデータおよびＣ２パリティは、出力読み出しバッファ３７によって、各フィールド毎にＳＤＲＡＭ３１から記録回路４０へ読み出される。
【００９０】
一方、オーディオ用のＣ２読み出しバッファ３１０では、ＳＤＲＡＭ３１から２４個のＥＣＣブロックに対応したオーディオデータＤａを読み出して、Ｃ２エンコーダ３１１に供給する。Ｃ２エンコーダ３１１では、各フィールドについて、２４個のＥＣＣブロックにおけるＣ２パリティ（外符号パリティ）を演算するようになされる。２４個のＥＣＣブロックに対応したオーディオデータＤａおよびＣ２パリティは、各フィールド毎に、出力読出しバッファ３１２からＳＹＮＣ／ＩＤ付加回路３８へ出力される。
【００９１】
このＳＹＮＣ／ＩＤ付加回路３８では、出力読み出しバッファ３７から記録順に出力される各シンクブロックのビデオデータ（またはＣ２パリティ）のデータ列に、シンクデータおよびＩＤを付加するようになされる。同様にして、出力読み出しバッファ３１２から記録順に出力される各シンクブロックのオーディオデータＤａ（またはＣ２パリティ）のデータ列に、シンクデータおよびＩＤを付加するようになされる。
【００９２】
このシンクデータおよびＩＤが付加されたデータ列は、ＳＹＮＣ／ＩＤ付加回路３８からＣ１エンコーダ３９へ出力される。Ｃ１エンコーダ３９では、シンクデータおよびＩＤが付加された各シンクブロックのビデオデータ及びオーディオデータＤａに対してＣ１パリティが演算されて付加される。ビデオデータＤＲ＋ＤＬ＋オーディオデータＤａはＶＤｂとしてＣ１エンコーダ３９から記録回路４０へ出力するようになされる。
【００９３】
これと共に、ＣＴＬ発生器６０では、立体表示用のエラー訂正符号化データ（デジタル情報）ＶＤｂの再生時の基準となるＣＴＬ信号を発生し、このＣＴＬ信号を変調してＣＴＬ記録ヘッド７０に出力する。例えば、ＣＴＬ発生器６０では、立体表示用のエラー訂正符号化データＶＤｂの左右のフレームに応じてＣＴＬ信号の波形デューティを変調するようになされる。
【００９４】
このとき、ＣＴＬ発生器６０は、フィールド毎にＣＴＬ信号のアップエッジを立ち上げ、左右のフレームで６５％，５０％，３５％，５０％のようにデューティが異なるように設定される。これは、波形デューティで左右のフレームを区別するためである。
【００９５】
例えば、ＣＴＬ発生器６０では、図１０に示したように、Ｌｃｈの１フレームの第１フィールドのビデオデータＤＬ及び、オーディオデータＤａを規定するＣＴＬ信号のディーティを６５％に設定する。その第２フィールドのビデオデータＤＬ及びオーディオデータＤａを規定するＣＴＬ信号のディーティについては、５０％に設定する。また、Ｒｃｈの１フレームの第１フィールドのビデオデータＤＲ及びオーディオデータＤａを規定するＣＴＬ信号のディーティについては、３５％に設定する。その第２フィールドのビデオデータＤＲ及びオーディオデータＤａを規定するＣＴＬ信号のディーティについては、５０％に各々設定する。
【００９６】
ＣＴＬ記録ヘッド７０はＣＴＬ発生器６０から出力される、６５％，５０％，３５％，５０％ようにデューティの異なる変調後のＣＴＬ信号を磁気テープ８０に記録するようになされる。これにより、図１０のビデオデータＤＲ＋ＤＬ及びオーディオデータＤａのマッピング例（３Ｄ，３Ｐ）に示したように、通常表示用の１フレームのデジタル情報に対応した誤り訂正構成及び情報記録形式の単位で、立体表示用のビデオデータＤＲ＋ＤＬを左右のフレームに交互に並べて記録することができる。しかも、立体表示用の左右の連続したフレームのデジタル情報を連続した右フレームのデジタル情報又は連続した左フレームのデジタル情報に区分することができる。
【００９７】
また、ビデオデータＤＲ＋ＤＬ及びオーディオデータＤａのマッピング例（３Ｄ，３Ｐ）を適用した磁気テープ８０によれば、立体表示用のビデオデータＤＲ、ＤＬを左右のフレームに交互に並べて記録されて成るものである。従って、磁気テープ８０で立体表示用の左右の連続したフレームのデジタル情報から、連続した右フレームのデジタル情報又は連続した左フレームのデジタル情報を読み出すことができる。これにより、３Ｄ映像音声記録再生システム１０ではない通常の映像再生システムにおいても、ダイナミックトラッキングにより、１フレーム飛ばしでビデオデータＤＲ又はＤＬを再生し、左右の任意のチャンネルの連続したビデオデータＤＲ又はＤＬ、及び、オーディオデータＤａを互換再生することが可能となる。
【００９８】
［他の情報記録装置］
図１２は、本発明に係る第２の実施例に係るＶＴＲ２００の記録系の構成例を示す構成図である。
図１２に示すＶＴＲ２００の記録系は、記録手段４４’及びビデオ圧縮回路１１、１２を有しており、パリティ付加後にマルチプレックスする例である。この記録手段４４’は２つのパリティ付加回路２１、２２と、１つのマルチプレックス回路２０、記録回路４０，ヘリカル記録ヘッド５０、ＣＴＬ発生器６０及びＣＴＬ記録ヘッド７０を有している。なお、第１の実施例と同じ符号及び名称のものは同じ機能を有するためその説明を省略する。２つのパリティ付加回路２１、２２は第１の実施例で説明したパリティ付加回路３０と同じ機能を有している。
【００９９】
パリティ付加回路２１では、データ圧縮後のＬｃｈビデオデータ（圧縮符号化多重データ）ＤＬ及び、ビデオＬ入力端子１１０からの記録オーディオ信号ＡＳｉｎを入力し、この圧縮符号化多重データＤＬに対して、符号化単位毎に積符号を用いたエラー訂正符号化処理が行われると共に、記録オーディオ信号ＡＳｉｎに積符号を用いたエラー訂正符号化処理が行われる。
【０１００】
パリティ付加回路２２では、データ圧縮後のＲｃｈビデオデータ（圧縮符号化多重データ）ＤＲ及び、ビデオＲ入力端子１１０からの記録オーディオ信号ＡＳｉｎを入力し、この圧縮符号化多重データＤＲに対して、符号化単位毎に積符号を用いたエラー訂正符号化処理が行われると共に、記録オーディオ信号ＡＳｉｎに積符号を用いたエラー訂正符号化処理が行われる。
【０１０１】
マルチプレックス回路２０では、パリティ付加回路２１でエラー訂正符号化されたＬｃｈビデオデータＤＬと、パリティ付加回路２２でエラー訂正符号化されたＲｃｈビデオデータＤＲとを多重化処理するようになされる。多重化処理後のＲｃｈ及びＬｃｈビデオデータＤＲ＋ＤＬは記録回路４０へ出力される。記録回路４０から後段の処理については、第１の実施例と同様になされる。
【０１０２】
このように、本発明に係る第２の実施例としてのＶＴＲ２００及び情報記録方法によれば、被写体１を左右から同時に撮影して得た立体表示用の左右のフレームのデジタル情報を磁気テープ８０に記録する場合に、記録手段４’では、通常表示用の１フレームのデジタル情報を記録する速度の２倍の速度で、かつ、当該通常表示用の１フレームのデジタル情報に対応した誤り訂正構成及び情報記録形式の単位で、立体表示用のデジタル情報を左右のフレームに交互に並べて磁気テープ８０に記録するようになされる。
【０１０３】
従って、情報再生時に、立体表示用の左右の連続したフレームのデジタル情報を連続した右フレームのデジタル情報又は連続した左フレームのデジタル情報に互換することができる。これにより、特殊映像表示機能が付加されていない通常の映像表示装置で立体表示用の連続した右又は左のフレームのデジタル情報を再生することができる。しかも、第１の実施例に比べてＶＴＲ２００の記録系により、エラー訂正符号化処理を並列にできるので、データ処理の高速化が図れる。
【０１０４】
［情報再生装置］
図１３は本発明に係る第３の実施例としてのＶＴＲ３００の再生系の構成例を示す構成図である。
この実施例では、立体表示（３Ｄ）用の映像音声記録データを同時にＶＴＲ１００で再生を行うものである。図１３に示すＶＴＲ３００は情報再生装置の一例であり、被写体１を左右から同時に撮影して得た立体表示用の左右のフレームのデジタル情報を磁気テープ８０から再生する装置である。ＶＴＲ３００は第１の実施例で説明したＶＴＲ１００の記録系や、第２の実施例で説明したＶＴＲ２００の記録系に組み合わせて使用可能となされるものである。もちろん、ＶＴＲ３００を単独で再生専用機として利用してもよい。
【０１０５】
このＶＴＲ３００は再生手段６、オーディオ出力端子１８、ビデオＲ出力端子１９Ａ、１９Ｂ、ビデオ伸長回路９１Ａ及び９１Ｂを有している。再生手段６は、通常表示用の１フレームのデジタル情報を再生する速度のｎ倍の速度で、かつ、当該通常表示用の１フレームのデジタル情報に対応した誤り訂正構成及び情報記録形式の単位で、磁気テープ８０から左右のフレームを交互に読み出して立体表示用の左右のデジタル情報を再生するものである。この例ではｎ＝２の場合について説明をする。
【０１０６】
例えば、再生手段６はヘリカル再生ヘッド５５、等化復号回路５６、ＣＴＬ再生ヘッド７５、エラー訂正器８１及び８２を有している。一方で、ヘリカル再生ヘッド５５では磁気テープ８０の記録トラックから立体表示用の左右のフレームの再生ビデオデータＶＤｃが読み取られる。
【０１０７】
ヘリカル再生ヘッド５５には等化復号回路５６が接続される。等化復号回路５６は図示しないが、再生アンプ、波形等化回路及び復号回路から構成される。まず、記録トラックから再生された立体表示用の左右のフレームの再生ビデオデータＶＤｃは再生アンプにより増幅される。その後、再生ビデオデータＶＤｃは波形等化回路で波形等化される。更に、復号回路では波形等化後の再生信号に対して、例えばビタビアルゴリズムを利用した復号化の処理が行われ、上述した記録系のパリティ付加回路３０から出力される記録ビデオデータＶＤｂに対応した再生ビデオデータＶＤｃが得られる。
【０１０８】
等化復号回路５６には２つのエラー訂正器８１及び８２が接続され、例えば、ＥＣＣデコーダが使用される。エラー訂正器８１では、等化復号回路５６より出力される立体表示用の左のフレームの再生ビデオデータＶＤｃのエラー訂正が行われる。このエラー訂正器８１では、この左のフレームのビデオデータＶＤｃに付加されているパリティ（Ｃ１パリティ、Ｃ２パリティ）を用いてエラー訂正が行われる。エラー訂正後の圧縮符号化データは右ビデオデータＤＲである。
【０１０９】
同様にして、エラー訂正器８２では、等化復号回路５６より出力される立体表示用の右のフレームの再生ビデオデータＶＤｃのエラー訂正が行われる。このエラー訂正器８２では、この右のフレームの再生ビデオデータＶＤｃに付加されているパリティ（Ｃ１パリティ、Ｃ２パリティ）を用いてエラー訂正が行われる。エラー訂正後の圧縮符号化データは左ビデオデータＤＬである。
【０１１０】
エラー訂正器８１にはビデオ伸張回路９０Ａが接続され、このエラー訂正器８１より出力されるエラー訂正後の左ビデオデータ（圧縮符号化データ）ＤＬが記録系のビデオ圧縮回路１１とは逆の処理によってデータ伸長が行われる。そして、このビデオ伸長回路９０Ａより出力されるビデオデータＬＳｏｕｔは出力端子１９Ａに出力される。
【０１１１】
同様にして、エラー訂正器８２にはビデオ伸張回路９０Ｂが接続され、このエラー訂正器８２より出力されるエラー訂正後の右ビデオデータ（圧縮符号化データ）ＤＲが記録系のビデオ圧縮回路１２とは逆の処理によってデータ伸長が行われる。そして、このビデオ伸長回路９０Ｂより出力されるビデオデータＲＳｏｕｔは出力端子１９Ｂに出力される。
【０１１２】
他方、ＣＴＬ再生ヘッド７５では磁気テープ８０の記録トラックのサーボパイロットからサーボ制御信号（ＣＴＬ信号）が再生される。ＣＴＬ再生ヘッド７５にはキャプスタンドラムサーボ７６が接続され、ＣＴＬ信号に基づいてキャプスタンドラムを駆動するようになされる。この例でＣＴＬ信号は、磁気テープ８０から立体表示用の左右のフレームの再生ビデオデータＶＤｃを読み出して再生するときの基準となる。
【０１１３】
このキャプスタンドラムサーボ７６には判別手段９が接続され、ＣＴＬ信号の波形デューティを検出して、立体表示用の左右のフレームの再生ビデオデータＶＤｃの記録フォーマットを判別するようになされる。判別手段９は、例えば、デューティ検出部９１、メモリ部９２及びデューティ比較部９３を有している。
メモリ部９２には予め準備された参照波形デューティが記憶される。
【０１１４】
デューティ検出部９１では、キャプスタンドラムサーボ７６から出力されるＣＴＬ信号の波形デューティを検出するようになされる。デューティ検出部９１及びメモリ部９２にはデューティ比較部９３が接続され、このデューティ検出部９１により検出されたＣＴＬ信号の波形デューティと、予め準備された参照波形デューティとを比較して立体表示用の左右のフレームの再生ビデオデータＶＤｃの記録フォーマットに関する情報を出力するようになされる。
【０１１５】
例えば、ＣＴＬ信号のハイ・レベル（以下「Ｈ」レベルという）の区間の波形デューティに関して、６５％、５０％、３５％、５０％の場合は１９２０画素×１０８８画素の画枠に対応する立体表示用の左右のフレームの再生ビデオデータＶＤｃの記録フォーマットであると判別する。また、その波形デューティに関して、６５％、３５％、５０％、３５％の場合は２Ｋ画素×１Ｋ画素の画枠に対応する立体表示用の左右のフレームの再生ビデオデータＶＤｃの記録フォーマットであると判別するようになされる。
【０１１６】
このデューティ比較部９３には制御手段の一例となるＣＰＵ２５が接続され、ＣＴＬ信号の波形立ち上がりエッジを検出してフィールド周期を判別する。例えば、ＣＴＬ信号のアップ（ＵＰ）エッジの周期がＮセグメント（Ｓｅｇｍｅｎｔ）である場合に、ＣＰＵ２５はＮセグメント／フィールドのフォーマットと判別する。更に、ＣＰＵ２５では、ＣＴＬ信号のＵＰエッジの周期が２Ｎセグメントである場合に、２Ｎセグメント／フィールドのフォーマットであると判別する。
【０１１７】
この判別結果に基づいてＣＰＵ２５は再生手段６を制御する。例えば、ＣＰＵ２５はＣＴＬ信号の波形デューティを検出し、当該波形デューティに基づいて右フレームの再生ビデオデータＶＤｃ又は左フレームの再生ビデオデータＶＤｃを再生するようにエラー訂正器８１及び８２等を制御する。更に、ＣＰＵ２５は、磁気テープ８０で１フレーム飛ばしに再生ビデオデータＶＤｃを再生するように再生手段６をダイナミックトラッキング制御する。このようにすると、立体表示用の左右の連続したフレームの再生ビデオデータＶＤｃを連続した右フレームのビデオデータＤＲ又は連続した左フレームのビデオデータＤＬに互換することができる。
【０１１８】
図１４はエラー訂正器８１等に係る内部構成例を示すブロック図である。図１４に示すエラー訂正器８１は、ＳＤＲＡＭ４１と、このＳＤＲＡＭ４１に対する書き込みおよび読み出しを行うためのインタフェースであるＳＤＲＡＭインタフェース４２とを有している。
【０１１９】
ＳＤＲＡＭ４１は、複数フィールドのビデオデータＤＲ＋ＤＬを記憶し得る容量を持っている。この場合、ＳＤＲＡＭ４１には、Ｒｃｈ及びＬｃｈの各フィールドについて、３６個のＥＣＣブロック（図７Ａ参照）に対応したメモリ空間が用意されている。
【０１２０】
このＳＤＲＡＭインタフェース４２には、入力書き込みバッファ４３が接続され、図示しないＣ１訂正回路から供給されるビデオデータ（圧縮符号化データ）ＤＲ＋ＤＬ及び、再生オーディオデータをＳＤＲＡＭ４１に書き込むためのバッファとなされる。ＳＤＲＡＭインタフェース４２には、ビデオ用のＣ２読み出しバッファ４４が接続され、ＳＤＲＡＭ４１から読み出される３６個のＥＣＣブロックに対応したビデオデータＤＲ＋ＤＬを後述するビデオ用のＣ２訂正器４５に供給するためのバッファとなされる。
【０１２１】
このＣ２読み出しバッファ４４には、Ｃ２訂正器４５が接続され、各フィールドについて、３６個のＥＣＣブロックにおけるＣ２パリティ（外符号パリティ）を演算するようになされる。Ｃ２訂正器４５は、Ｃ２パリティを演算する演算器を３６個有しており、上述した３６個のＥＣＣブロックにおけるＣ２パリティを並行して演算できるようになされる。そのため、Ｃ２読み出しバッファ４４からＣ２訂正器４５には、３６個のＥＣＣブロックに対応したビデオデータが並行して供給される。またその場合、各ＥＣＣブロックのビデオデータは、「０〜１１３」のシンクブロックのデータの順に供給される。
【０１２２】
また、Ｃ２訂正器４５にはＣ２書き込みバッファ４６が接続され、各フィールドについて、Ｃ２訂正器４５で演算された３６個のＥＣＣブロックにおけるＣ２パリティをＳＤＲＡＭ４１に書き込むためのバッファとなされる。さらに、ＳＤＲＡＭインタフェース４２にはビデオ用の出力バッファ４７が接続され、各フィールドについて、ＳＤＲＡＭ４１から読み出される、３６個のＥＣＣブロックに対応したビデオデータおよびＣ２パリティを出力するためのバッファとなされる。
【０１２３】
上述のＳＤＲＡＭインタフェース４２にはオーディオ用のＣ２読み出しバッファ４８が接続され、各フィールドについて、ＳＤＲＡＭ４１から読み出される、２４個のＥＣＣブロックに対応したオーディオデータＤａおよびＣ２パリティを出力するためのバッファとなされる。また、オーディオ用のＣ２読み出しバッファ４８には、オーディオＣ２訂正器４９が接続され、各フィールドについて、２４個のＥＣＣブロックにおけるＣ２パリティ（外符号パリティ）を演算するようになされる。Ｃ２訂正器４９には出力バッファ４１０が接続され、各フィールドについて、２４個のＥＣＣブロックに対応したオーディオデータＤａおよびＣ２パリティを出力するためのバッファとなされる。
【０１２４】
続いて、ＶＴＲ３００における動作例について説明をする。この実施例では、被写体１を左右から同時に撮影して得た立体表示用の左右のフレームのデジタル情報を磁気テープ８０から再生する場合を前提とする。
【０１２５】
図１３に示したＶＴＲ３００では、通常表示用の１フレームのデジタル情報を再生する速度の２倍（ｎ＝２）の速度で、かつ、当該通常表示用の１フレームのデジタル情報に対応した誤り訂正構成及び情報記録形式の単位で、磁気テープ８０から左右のフレームを交互に読み出して立体表示用の左右のビデオデータ及びオーディオ信号を再生するようになされる。この例では、磁気テープ８０から立体表示用のビデオデータを再生する際に、このビデオデータの基準となるＣＴＬ信号を再生する。ここで再生されたＣＴＬ信号の波形デューティを検出してビデオデータの記録フォーマットを判別するようにされる。
【０１２６】
これらを前提にして、図１３に示した一方で、ヘリカル再生ヘッド５５では磁気テープ８０の記録トラックから立体表示用の左右のフレームの再生ビデオデータＶＤｃが読み取られる。この左右のフレームの再生ビデオデータＶＤｃは、ヘリカル再生ヘッド５５から等化復号回路５６へ出力される。等化復号回路５６では、ヘリカル再生ヘッド５５から出力された立体表示用の左右のフレームの再生ビデオデータＶＤｃが増幅された後に波形等化される。更に、波形等化後の再生信号は、例えばビタビアルゴリズムを利用した復号化処理が施される。この処理の結果、上述した記録系のパリティ付加回路３０から出力される記録ビデオデータＶＤｂに対応した再生ビデオデータＶＤｃが得られる。
【０１２７】
この再生ビデオデータＶＤｃは、等化復号回路５６から２つのエラー訂正器８１及び８２に出力される。エラー訂正器８１では、等化復号回路５６より出力された立体表示用の左のフレームの再生ビデオデータＶＤｃのエラー訂正が行われる。このエラー訂正器８１では、この左のフレームのビデオデータＶＤｃに付加されているパリティ（Ｃ１パリティ、Ｃ２パリティ）を用いてエラー訂正が行われる。エラー訂正後の圧縮符号化データは左ビデオデータＤＬである。
【０１２８】
同様にして、エラー訂正器８２では、等化復号回路５６より出力されたオーディオデータＤａ及び、立体表示用の右のフレームの再生ビデオデータＶＤｃのエラー訂正が行われる。このエラー訂正器８２では、この右のフレームの再生ビデオデータＶＤｃに付加されているパリティ（Ｃ１パリティ、Ｃ２パリティ）を用いてエラー訂正が行われる。エラー訂正後の圧縮符号化データは右ビデオデータＤＲ及び、オーディオデータＤａである。
【０１２９】
左ビデオデータＤＬはエラー訂正器８１からビデオ伸張回路９０Ａへ出力される。ビデオ伸張回路９０Ａでは、このエラー訂正器８１より出力されたエラー訂正後の左ビデオデータ（圧縮符号化データ）ＤＬが記録系のビデオ圧縮回路１２とは逆の処理によってデータ伸長が行われる。そして、このビデオ伸長回路９０Ａより出力されるビデオデータＬＳｏｕｔは出力端子１９Ａに出力される。
【０１３０】
また、右ビデオデータＤＲは、エラー訂正器８２からビデオ伸張回路９０Ｂへ出力される。ビデオ伸張回路９０Ｂでは、このエラー訂正器８２より出力されたエラー訂正後の右ビデオデータ（圧縮符号化データ）ＤＲが記録系のビデオ圧縮回路１１とは逆の処理によってデータ伸長が行われる。そして、このビデオ伸長回路９０Ｂより出力されるビデオデータＲＳｏｕｔは出力端子１９Ｂに出力される。なお、エラー訂正後のオーディオデータＤａは再生オーディオ信号ＡＳｏｕｔとなって出力端子１８に出力される。
【０１３１】
他方、ＣＴＬ再生ヘッド７５では磁気テープ８０の記録トラックのサーボパイロットからサーボ制御信号（ＣＴＬ信号）が再生される。このＣＴＬ信号はＣＴＬ再生ヘッド７５からキャプスタンドラムサーボ７６へ出力される。キャプスタンドラムサーボ７６ではＣＴＬ信号に基づいてキャプスタンドラムを駆動するようになされる。この例でＣＴＬ信号は、磁気テープ８０から立体表示用の左右のフレームの再生ビデオデータＶＤｃを再生するときの基準となされる。ＣＴＬ信号は、キャプスタンドラムサーボ７６から判別手段９へ出力される。
【０１３２】
このとき、判別手段９のデューティ検出部９１では、キャプスタンドラムサーボ７６から出力されたＣＴＬ信号の波形デューティが検出される。デューティ比較部９３では、デューティ検出部９１により検出されたＣＴＬ信号の波形デューティと、メモリ部９２から読み出した参照波形デューティとが比較され、立体表示用の左右のフレームの再生ビデオデータＶＤｃの記録フォーマットに関する情報が出力される。これにより、ＣＴＬ信号の波形デューティ検出に基づいて立体表示用の左右のフレームの再生ビデオデータＶＤｃの記録フォーマットを判別することができる。
【０１３３】
例えば、ＣＴＬ信号の「Ｈ」レベルの区間の波形デューティに関して、６５％、５０％、３５％、５０％の場合は１９２０画素×１０８８画素の画枠に対応する立体表示用の左右のフレームの再生ビデオデータＶＤｃの記録フォーマットであると判別される。また、その波形デューティに関して、６５％、３５％、５０％、３５％の場合は２０４８画素×１０２４画素の画枠に対応する立体表示用の左右のフレームの再生ビデオデータＶＤｃの記録フォーマットであると判別される。
【０１３４】
この記録フォーマットに関する情報は、デューティ比較部９３からＣＰＵ２５へ出力される。ＣＰＵ２５ではＣＴＬ信号の波形立ち上がりエッジを検出してフィールド周期を判別するようになされる。例えば、ＣＴＬ信号のＵＰエッジの周期がＮセグメント（Ｓｅｇｍｅｎｔ）である場合に、ＣＰＵ２５はＮセグメント／フィールドのフォーマットと判別する。更に、ＣＰＵ２５では、ＣＴＬ信号のＵＰエッジの周期が２Ｎセグメントである場合に、２Ｎセグメント／フィールドのフォーマットであると判別される。
【０１３５】
このように、本発明に係る第３の実施例としてのＶＴＲ３００及び情報再生方法によれば、フォーマット判別結果に基づき、ＣＰＵ２５によりＣＴＬ信号の波形デューティが検出され、当該波形デューティに基づいて右フレームの再生ビデオデータＶＤｃ又は左フレームの再生ビデオデータＶＤｃを再生するようにエラー訂正器８１及び８２が制御される。更に、ＣＰＵ２５は、磁気テープ８０で１フレーム飛ばしに再生ビデオデータＶＤｃを再生するように再生手段６をダイナミックトラッキング制御するようになされる。
【０１３６】
従って、３Ｄ映像音声記録再生システム１０ではない通常の映像音声再生システムにおいても、左または右のチャンネルの連続したビデオデータＤＲ又はＤＬ、及び、オーディオデータＤａを互換再生することが可能となる。
［他の情報再生装置］
図１５は本発明に係る実施形態としての情報再生装置を応用した映像音声再生システム１０’の構成例を示す概念図である。
この実施例では、３Ｄ映像音声記録再生システムではない通常の映像音声再生システム１０’において、左右の任意のチャンネル（フレーム）の連続したビデオデータＤＲ又はＤＬ、及び、オーディオデータＤａを再生するＶＴＲ４００が備えられるものである。
【０１３７】
図１５に示す映像音声再生システム１０’には記録再生装置の一例となるＶＴＲ４００が備えられ、左右の任意のチャンネルの連続したビデオデータＤＲ、ＤＬ、及び、オーディオデータＤａを記録した３Ｄ映像音声記録フォーマットの磁気テープ８０が適用される。ＶＴＲ４００には磁気テープ８０を巻回されたカセットが装着される。この磁気テープ８０は、第１の実施例に係るＶＴＲ１００や、第２の実施例に係るＶＴＲ２００等によって記録されたものである。
【０１３８】
このＶＴＲ４００には通常のＮＴＳＣ方式等のテレビモニタ１０１が接続される。ＶＴＲ４００では磁気テープ８０から、左右の任意のチャンネルの連続したビデオデータＤＲ又はＤＬ、及び、オーディオデータＤａを再生するようになされる。テレビモニタ１０１ではＶＴＲ４００により再生された左又は右のチャンネルの連続した映像を表示し、その音声等を出力するようになされる。
【０１３９】
図１６はＶＴＲ４００の再生系の構成例を示す構成図である。このＶＴＲ４００で、３Ｄ映像音声記録データの右又は左チャンネルのいずれか片方の再生を行う場合に、再生手段６’、判別手段９、ＣＰＵ２５及びビデオ伸長回路９０が備えられる。この例で再生手段６’は、ヘリカル再生ヘッド５５、等化復号回路５６、ＣＴＬ再生ヘッド７５、ヘッド高さ調整用のＤＴ駆動器７７及びエラー訂正器８１を有している。なお、第３の実施例と同じ符号及び名称のものは同じ機能を有するためその説明を省略する。ビデオ伸長回路９０は第２の実施例で説明したビデオ伸長回路９０Ａ又は９０Ｂと同じ機能を有している。
【０１４０】
この例でヘリカル再生ヘッド５５にはＤＴ（Ｄｙｎａｍｉｃ  Ｔｒａｃｋｉｎｇ）駆動器７７が取付けられ、例えば、左チャンネルだけを連続に互換再生する場合は、左ビデオデータＤＬの記録領域部分のみをトレースするように、ヘリカル再生ヘッド５５を上下に駆動するようになされる。また、右チャンネルを連続に互換再生する場合は、右ビデオデータＤＲの記録領域部分のみをトレースするように、ヘリカル再生ヘッド５５を上下に駆動するようになされる。
【０１４１】
この例でも、判別手段９ではＣＴＬ信号の波形デューティを検出し、ＣＰＵ２５では当該波形デューティに基づいて右チャンネルのビデオデータＤＲ又は左チャンネルのビデオデータＤＬを再生するようになされる。例えば、再生手段６’では磁気テープ８０から立体表示用のデジタル情報の再生時の基準となるＣＴＬ信号を再生したり、判別手段９ではこのＣＴＬ信号の波形デューティを検出してデジタル情報の記録フォーマットを判別するようになされる。また、ＣＰＵ２５では、ＣＴＬ信号の波形デューティを検出し、当該波形デューティに基づいて右フレームのデジタル情報又は左フレームのデジタル情報を再生するように再生手段６’を制御する。
【０１４２】
続いて、ＶＴＲ４００における動作例について説明をする。この実施例では、３Ｄ映像音声記録再生システムではない通常の映像音声再生システム１０’において、３Ｄ記録再生フォーマットのビデオデータＤＲ又はＤＬ、及び、オーディオデータＤａを再生する場合を前提とする。
【０１４３】
図１６に示したＶＴＲ４００では、通常表示用の１フレームのデジタル情報を再生する速度の２倍（ｎ＝２）の速度で、かつ、当該通常表示用の１フレームのデジタル情報に対応した誤り訂正構成及び情報記録形式の単位で、磁気テープ８０から左又は右のフレームのみを読み出して通常表示用の左又は右のビデオデータ及びオーディオ信号を得ようとするものである。この例でも、磁気テープ８０から立体表示用の左又は右のフレームのビデオデータを再生する際に、このビデオデータの基準となるＣＴＬ信号を再生する。ここで再生されたＣＴＬ信号の波形デューティを検出してビデオデータの記録フォーマットを判別するようにされる。
【０１４４】
これらを前提にして、図１６に示したヘリカル再生ヘッド５５では、ＤＴ駆動器７７により再生位置が制御され、磁気テープ８０の記録トラックから立体表示用の左又は右のフレームの再生ビデオデータＶＤｃのみを読み取るようになされる。例えば、磁気テープ８０の走行方向において、その記録トラック上を弧を描くように湾曲するように、ＤＴ駆動器７７によりヘリカル再生ヘッド５５の高さを調整してトレース位置が制御される。
【０１４５】
この左フレームのみの再生ビデオデータＶＤｃは、ヘリカル再生ヘッド５５から等化復号回路５６へ出力される。等化復号回路５６では、ヘリカル再生ヘッド５５から出力された左フレームの再生ビデオデータＶＤｃが増幅された後に波形等化される。更に、波形等化後の再生信号は、例えばビタビアルゴリズムを利用した復号化処理が施される。この処理の結果、上述した記録系のパリティ付加回路３０から出力される記録ビデオデータＶＤｂに対応した再生ビデオデータＶＤｃが得られる。
【０１４６】
この再生ビデオデータＶＤｃは、等化復号回路５６からエラー訂正器８１に出力される。エラー訂正器８１では、等化復号回路５６より出力された左フレームのみの再生ビデオデータＶＤｃのエラー訂正が行われる。このエラー訂正器８１では、この左フレームのみのビデオデータＶＤｃに付加されているパリティ（Ｃ１パリティ、Ｃ２パリティ）を用いてエラー訂正が行われる。エラー訂正後の圧縮符号化データは左ビデオデータＤＬ及びオーディオデータＤａである。
【０１４７】
左ビデオデータＤＬはエラー訂正器８１からビデオ伸張回路９０へ出力される。ビデオ伸張回路９０では、このエラー訂正器８１より出力されたエラー訂正後の左ビデオデータ（圧縮符号化データ）ＤＬが記録系のビデオ圧縮回路１２とは逆の処理によってデータ伸長が行われる。そして、このビデオ伸長回路９０より出力される再生ビデオ信号ＬＳｏｕｔは出力端子１９に出力される。この出力端子１９には、３Ｄ映像音声再生機能を付加していない通常の映像表示装置のビデオ入力が接続される。なお、エラー訂正後のオーディオデータＤａは再生オーディオ信号ＡＳｏｕｔとなって出力端子１８に出力される。出力端子１８には通常の映像表示装置のオーディオ入力が接続される。
【０１４８】
他方、ＣＴＬ再生ヘッド７５では磁気テープ８０の記録トラックのサーボパイロットからサーボ制御信号（ＣＴＬ信号）が再生される。このＣＴＬ信号はＣＴＬ再生ヘッド７５からキャプスタンドラムサーボ７６へ出力される。キャプスタンドラムサーボ７６ではＣＴＬ信号に基づいてキャプスタンドラムを駆動するようになされる。この例でＣＴＬ信号は、磁気テープ８０から立体表示用の左右のフレームの再生ビデオデータＶＤｃを再生するときの基準となされる。ＣＴＬ信号は、キャプスタンドラムサーボ７６から判別手段９へ出力される。
【０１４９】
このとき、判別手段９のデューティ検出部９１では、キャプスタンドラムサーボ７６から出力されたＣＴＬ信号の波形デューティが検出される。デューティ比較部９３では、デューティ検出部９１により検出されたＣＴＬ信号の波形デューティと、メモリ部９２から読み出した参照波形デューティとが比較され、立体表示用の左右のフレームの再生ビデオデータＶＤｃの記録フォーマットに関する情報が出力される。これにより、ＣＴＬ信号の波形デューティ検出に基づいて立体表示用の左右のフレームの再生ビデオデータＶＤｃの記録フォーマットを判別するようになされる。
【０１５０】
この記録フォーマットに関する情報がデューティ比較部９３からＣＰＵ２５へ出力される。ＣＰＵ２５ではＣＴＬ信号の波形デューティが検出され、当該波形デューティに基づいて右フレームの再生ビデオデータＶＤｃ又は左フレームの再生ビデオデータＶＤｃを再生するようにエラー訂正器８１を制御するようになされる。
【０１５１】
このように、本発明に係る第４の実施例としてのＶＴＲ４００及び情報再生方法によれば、磁気テープ８０で１フレーム飛ばしに再生ビデオデータＶＤｃを再生するように再生手段６’をダイナミックトラッキング制御するようになされる。
【０１５２】
従って、立体表示用の左右の連続したフレームのビデオデータＤＬ＋ＤＲを連続した右フレームのビデオデータＤＲ又は連続した左フレームのビデオデータＤＬに互換することができる。これにより、３Ｄ映像音声記録再生システム１０ではない通常の映像音声再生システムにおいても、左又は右のチャンネルの連続したビデオデータＤＲ又はＤＬ、及び、オーディオデータＤａを再生することができる。
【０１５３】
各実施例では通常表示用の１フレームのデジタル情報を記録する速度のｎ倍の速度に関して、ｎ＝２の場合について説明をしたが、これに限られることはなく、ｎは３，４・・・であってもよい。また、ＶＴＲ１００乃至４００については、情報記録系と情報再生系とを分けて説明したが、これに限られることはなく、もちろん、ＶＴＲ１００とＶＴＲ３００とを組み合わせたビデオ記録再生装置や、ＶＴＲ１００とＶＴＲ４００とを組み合わせたビデオ記録再生装置、ＶＴＲ２００とＶＴＲ３００とを組み合わせたビデオ記録再生装置や、ＶＴＲ２００とＶＴＲ４００とを組み合わせたビデオ記録再生装置を構成してもよい。ＶＴＲ１００、２００を単独で情報記録専用機として利用してもよいし、ＶＴＲ３００、４００を単独で情報再生専用機として利用してもよい。
【０１５４】
【発明の効果】
以上説明したように、本発明に係る情報記録装置及び情報記録方法によれば、被写体を左右から同時に撮影して得た立体表示用の左右のフレームのデジタル情報を情報記録媒体に記録する記録手段を備え、この記録手段は通常表示用の１フレームのデジタル情報を記録する速度のｎ倍の速度で、かつ、当該通常表示用の１フレームのデジタル情報に対応した誤り訂正構成及び情報記録形式の単位で、立体表示用のデジタル情報を左右のフレームに交互に並べて情報記録媒体に記録するものである。
【０１５５】
この構成によって、情報再生時に、立体表示用の左右の連続したフレームのデジタル情報を連続した右フレームのデジタル情報又は連続した左フレームのデジタル情報に互換することができる。従って、特殊映像表示機能が付加されていない通常の映像表示装置で立体表示用の連続した右又は左のフレームのデジタル情報を再生することができる。
【０１５６】
本発明に係る情報再生装置及び情報再生方法によれば、被写体を左右から同時に撮影して得た立体表示用の左右のフレームのデジタル情報を情報記録媒体から再生する再生手段を備え、この再生手段は通常表示用の１フレームのデジタル情報を再生する速度のｎ倍の速度で、かつ、当該通常表示用の１フレームのデジタル情報に対応した誤り訂正構成及び情報記録形式の単位で、情報記録媒体から左右のフレームを交互に読み出して立体表示用の左右のデジタル情報を再生するものである。
【０１５７】
この構成によって、立体表示用の左右の連続したフレームのデジタル情報を連続した右フレームのデジタル情報又は連続した左フレームのデジタル情報に互換することができる。従って、特殊映像表示機能が付加されていない通常の映像表示装置で立体表示用の連続した右又は左のフレームのデジタル情報を再生することができる。
【０１５８】
本発明に係る情報記録媒体によれば、被写体を左右から同時に撮影して得た立体表示用の左右のフレームのデジタル情報を再生するとき、立体表示用の左右の連続したフレームのデジタル情報から、連続した右フレームのデジタル情報又は連続した左フレームのデジタル情報を読み出すことができる。従って、特殊映像表示機能が付加されていない通常の映像表示装置で立体表示用の連続した右又は左のフレームのデジタル情報を再生可能な互換ソフトウエアを提供することができる。
【０１５９】
この発明は、テープ記録媒体からデジタル情報を再生する家庭用及び業務用のビデオ記録再生装置に適用して極めて好適である。
【図面の簡単な説明】
【図１】本発明に係る実施形態としての情報記録装置及び情報再生装置を応用した３Ｄ映像音声記録再生システム１０の構成例を示す概念図である。
【図２】本発明に係る第１の実施例としてのＶＴＲ１００の記録系の構成例を示すブロック図である。
【図３】パリティ付加回路３０の内部構成例を示すブロック図である。
【図４】図２に示したＶＴＲ１００に係る回転ドラム１４０の構成例を示す概念図である。
【図５】磁気テープ８０における記録フォーマット例を示す図である。
【図６】ＶＴＲ１００におけるフットプリントの例を示す図である。
【図７】Ａ〜Ｃは記録ビデオデータ及び記録オーディオデータ等の積符号の構成例を示す図である。
【図８】１セグメントを構成する１２トラック内のビデオデータ領域ＡＲＶＬ，ＡＲＶＵにおける各ＥＣＣブロックの１シンクブロックの配置例（その１）を示す図である。
【図９】１セグメントを構成する１２トラックのビデオデータ領域ＡＲＶＬ，ＡＲＶＵにおける各ＥＣＣブロックの１シンクブロックの配置例（その２）を示す図である。
【図１０】３Ｄ映像音声記録再生システム１０におけるビデオデータＤＲ、ＤＬ及びオーディオデータＤａのマッピング例を示す図である。
【図１１】比較例としてのビデオデータＤｖ及びオーディオデータＤａのマッピング例を示す図である。
【図１２】本発明に係る第２の実施例に係るＶＴＲ２００の記録系の構成例を示す構成図である。
【図１３】本発明に係る第３の実施例としてのＶＴＲ３００の再生系の構成例を示す構成図である。
【図１４】エラー訂正器８１等に係る内部構成例を示すブロック図である。
【図１５】本発明に係る実施形態としての情報再生装置を応用した映像音声再生システム１０’の構成例を示す概念図である。
【図１６】本発明に係る第４の実施例としてのＶＴＲ４００の再生系の構成例を示す構成図である。
【符号の説明】
４・・・記録手段、６・・・再生手段、９・・・判別手段、１０・・・３Ｄ映像音声記録再生システム、１１，１２・・・ビデオ圧縮回路、２５・・・ＣＰＵ（制御手段）、２１，２２，３０・・・パリティ付加回路、５０・・・ヘリカル記録ヘッド、５５・・・ヘリカル再生ヘッド、７０・・・ＣＴＬ記録ヘッド、７５・・・ＣＴＬ再生ヘッド、７７・・・ＤＴ駆動器、８０・・・磁気テープ（情報記録媒体）、１００，２００・・・ＶＴＲ（情報記録装置）、３００，４００・・・ＶＴＲ（情報再生装置）
【図１】
2004312229.tif 000003
【図２】
2004312229.tif 000004
【図３】
2004312229.tif 000005
【図４】
2004312229.tif 000006
【図５】
2004312229.tif 000007
【図６】
2004312229.tif 000008
【図７】
2004312229.tif 000009
【図８】
2004312229.tif 000010
【図９】
2004312229.tif 000011
【図１０】
2004312229.tif 000012
【図１１】
2004312229.tif 000013
【図１２】
2004312229.tif 000014
【図１３】
2004312229.tif 000015
【図１４】
2004312229.tif 000016
【図１５】
2004312229.tif 000017
【図１６】
2004312229.tif 000018